(57)【要約】      （修正有）【課題】使用するフィルムの点数を減らし、フィルムの位置決め工程を簡素化することを可能とする缶製品作成装置を提供する。【解決手段】缶製品作成装置は、透明フィルム２０の片面を印刷面２０ａとし、透明フィルム２０の印刷面２０ａを第１の缶パーツとしての表蓋１２の表面１２ａに対向させる向きで配置した状態で、透明フィルム２０を表蓋１２の表面１２ａに被覆処理する手段と、表蓋１２の周縁部１２ｂからはみ出た前記透明フィルム２０の周縁部２０ｂを、表蓋１２と第２の缶パーツとしての裏蓋１４で挟むように、裏蓋１４を前記表蓋１２に結合して缶製品としての缶バッジ１０を製作する手段とを含む。これにより、表蓋１２の表面１２ａに印刷された画像２２を保護する保護フィルムなどの被覆が不要となり、その分、缶バッジ１０などの缶製品の製作をより簡素化し、作業効率を高めることができる。【選択図】図２
2019136210.tif 000002
【特許請求の範囲】
【請求項１】
所与の画像データを反転処理して生成した印刷用画像を透明フィルムの片面に印刷処理するプリント手段と、
前記透明フィルムの印刷面を第１の缶パーツの表面に対向させる向きで配置した状態で、当該透明フィルムを第１の缶パーツの表面に被覆処理する被覆手段と、
前記第１の缶パーツの周りにはみ出た前記透明フィルムの周縁部を前記第１の缶パーツと第２の缶パーツで挟むように、前記第２の缶パーツを前記第１の缶パーツに結合して缶製品を製作する缶製品組立手段と、
を含む、缶製品作成装置。
【請求項２】
請求項１において、
筐体と、
ユーザの画像を撮像する撮像手段と、
前記筐体に設けられ、前記撮像されたユーザの画像に関連つけた所与の画像データの画像を表示する表示手段と、
前記所与の画像データの画像を反転処理し前記印刷用画像の画像データを生成する印刷用画像データ生成手段と、
前記プリント手段により印刷処理された透明フィルムをユーザに提供する提供手段と、
を含む、缶製品作成装置。
【請求項３】
請求項１において、
筐体と、
複数の画像データを記憶する記憶手段と、
前記筐体に設けられ、所与の画像データを選択する選択手段と、
選択された画像データに基づき前記印刷用画像の画像データを生成する印刷用画像データ生成手段と、
前記プリント手段により印刷処理された透明フィルムをユーザに提供する提供手段と、
を含む、缶製品作成装置。
【請求項４】
請求項３において、
前記筐体に設けられ、前記選択された所与の画像データの画像を表示する表示手段、
を更に含む、缶製品作成装置。
【請求項５】
請求項１〜４のいずれかにおいて、
前記缶製品組立手段は、
前記透明フィルムの印刷面を第１の缶パーツの表面に対向させる向きで、当該透明フィルムを配置する透明フィルム配置手段と
複数組の第１の缶パーツ及び第２の缶パーツを収納するストッカーから、１組の第１の缶パーツ及び第２の缶パーツを取り出す取り出し手段と、
取り出した第１の缶パーツを、表面に前記透明フィルムの印刷面を配置可能な状態で前記透明フィルム配置手段に配置処理する第１の配置処理を行うとともに、
表面に前記透明フィルムが配置された前記第１の缶パーツを前記被覆手段に配置処理する第２の配置処理を行う配置手段と、
前記被覆処理された第１の缶パーツの周りにはみ出た前記透明フィルムの周縁部を前記第１の缶パーツと第２の缶パーツで挟むように、前記第２の缶パーツを前記第１の缶パーツに結合する結合手段と、
を含む、缶製品作成装置。
【請求項６】
請求項２、請求項２に従属する請求項５のいずれかにおいて、
前記撮像手段で撮像された画像を編集する編集処理を行う編集手段を含み、
前記編集手段は、
受付けた編集入力に基づき前記編集処理を行い前記所与の画像データを生成する、
缶製品作成装置。
【請求項７】
請求項５、請求項５に従属する請求項６のいずれかにおいて、
前記缶製品組立手段は、
前記第１の缶パーツの表面に透明フィルムが配置された後に、前記透明フィルムの印刷面が第１の缶パーツの表面に対向させる向きで配置されているかを判定する判定処理を行う判定手段を含む、
缶製品作成装置。
【請求項８】
所与の画像データを反転処理して生成した印刷用画像を透明フィルムの片面に印刷処理するプリント手段と、
前記透明フィルムの印刷面を玩具媒体の表面に対向させる向きで配置した状態で、当該透明フィルムを前記玩具媒体の表面に被覆処理する被覆手段と、
を含み、
表面に前記透明フィルムの他面で保護された前記印刷用画像が描画された玩具媒体を作成する玩具媒体作成装置。
【請求項９】
複数の画像データがレイヤ構造に重畳されて構成された所与の画像データであって、少なくとも一つのレイヤの画像データは、ゲームに関連付けた画像データとして生成された前記所与の画像データの画像を描画した玩具媒体を作成する装置において、
前記所与の画像データを反転処理して生成した印刷用画像を透明フィルムの片面に印刷処理するプリント手段と、
前記透明フィルムの印刷面を玩具媒体の表面に対向させる向きで配置した状態で、当該透明フィルムを前記玩具媒体の表面に被覆処理する被覆手段と、
を含み、
表面に前記透明フィルムの他面で保護された前記印刷用画像が描画された玩具媒体を作成する玩具媒体作成装置。
【請求項１０】
請求項９の玩具媒体作成装置を含むゲーム装置であって、
プレーヤのゲーム状況を判別するゲーム状況判別手段と、
複数の画像データを記憶する記憶手段と、
判別されたゲーム状況に応じた画像データを選択して前記所与の画像データを生成する第３の処理手段と、
を含むゲーム装置。
【請求項１１】
新請求項１０において、
前記選択された画像データの画像を表示する表示手段を、
更に含むゲーム装置。
【請求項１２】
請求項９の玩具媒体作成装置を含むゲーム装置であって、
プレーヤのゲーム状況を判別するゲーム状況判別手段と、
判別されたゲーム状況を反映した第１の画像データを生成するとともに、前記プレーヤの指示に基づき作成される第２の画像データを前記第１の画像データに重畳し、複数の画像データがレイヤ構造に重畳されて構成された前記所与の画像データを生成する第１の処理手段と、
前記所与の画像データを反転処理して印刷用画像の画像データを生成する第２の処理手段と、
を含むゲーム装置。
【請求項１３】
前記所与の画像データを反転処理して生成した印刷用画像を透明フィルムの片面に印刷処理するプリント手段と、
前記透明フィルムの印刷面を玩具媒体の表面に対向させる向きで配置した状態で、当該透明フィルムを前記玩具媒体の表面に被覆処理する被覆手段と、
を含み、
前記プリント手段は、
前記印刷用画像を、透明フィルムの片面に凹凸層を形成する印刷用画像として印刷処理し、
表面に前記透明フィルムの他面で保護された前記凹凸層を有する印刷用画像が描画された玩具媒体を作成する玩具媒体作成装置。
【請求項１４】
所与の画像データを反転処理して生成した印刷用画像を透明フィルムの片面に印刷処理する手順と、
前記透明フィルムの印刷面を第１の缶パーツの表面に対向させる向きで配置した状態で、当該透明フィルムを第１の缶パーツの表面に被覆処理する手順と、
前記第１の缶パーツの周りにはみ出た前記透明フィルムの周縁部を前記第１の缶パーツと第２の缶パーツで挟むように、前記第２の缶パーツを前記第１の缶パーツに結合して缶製品を製作する手順と、
を含む、缶製品作成方法。
【請求項１５】
所与の画像データを反転処理して生成した印刷用画像を透明フィルムの片面に印刷処理する手順と、
前記透明フィルムの印刷面を第１の缶パーツの表面に対向させる向きで配置した状態で、当該透明フィルムを第１の缶パーツの表面に被覆処理する手順と、
前記第１の缶パーツの周りにはみ出た前記透明フィルムの周縁部を前記第１の缶パーツと第２の缶パーツで挟むように、前記第２の缶パーツを前記第１の缶パーツに結合して缶製品を製作する手順と、
とで作成される缶製品。
【発明の詳細な説明】
【技術分野】
【０００１】
本発明は、缶製品作成装置、缶製品作成方法、玩具媒体作成装置及びゲーム装置に関する。
【背景技術】
【０００２】
従来から、所与の絵柄が施された缶バッジなどの缶製品の作成装置が知られており、例えば、表蓋と裏蓋とを結合して缶バッジを製造するバッチ製造装置などがある（特許文献１）。
【０００３】
この装置は、図１７に示すように、表蓋８０の表面８０ａに、所与の図柄９１が表示された第１のフィルム９０と、当該図柄９１を保護する透明な第２のフィルム９２を、順次重畳し、この状態で第１及び第２のフィルム９０、９２を表蓋８０の表面８０ａに圧着し、その後、この表蓋８０と裏蓋８２とを結合して缶バッジを製造するものであった。
【先行技術文献】
【特許文献】
【０００４】
【特許文献１】特開２０１７−１４８５８１号公報
【発明の概要】
【発明が解決しようとする課題】
【０００５】
このように、従来の缶製品の作成装置は、表蓋８０の表面８０ａに、所与の図柄９１が表示された第１のフィルム９０以外に、当該図柄を保護するための透明な第２のフィルム９２を必要とするため、その分、缶製品の作成のための部品点数が増加し、作業も煩雑となる、という問題があった。
【０００６】
特に、表蓋８０の表面８０ａに、所与の図柄９１が表示された第１のフィルム９０と、当該図柄を保護する透明な第２のフィルム９２を、ユーザが位置決めしながら順次重畳するという作業は、ユーザにとって煩雑であるばかりでなく、ユーザが不慣れで前記位置決めが不揃いの場合には、表蓋８０の表面８０ａに第１及び第２のフィルム９０、９２がきれいに圧着されない可能性がある、という問題があった。
【０００７】
本発明は、上記課題を解決するためになされたものであり、その目的は、使用するフィルムの点数を減らし、フィルムの位置決め工程を簡素化すことを可能とする缶製品作成装置、缶製品作成方法、玩具媒体作成装置及びゲーム装置を提供することにある。
【課題を解決するための手段】
【０００８】
（１）  上記課題を解決するため、本発明の缶製品作成装置は、
所与の画像データを反転処理して生成した印刷用画像を透明フィルムの片面に印刷処理するプリント手段と、
前記透明フィルムの印刷面を第１の缶パーツの表面に対向させる向きで配置した状態で、当該透明フィルムを第１の缶パーツの表面に被覆処理する被覆手段と、
前記第１の缶パーツの周りにはみ出た前記透明フィルムの周縁部を前記第１の缶パーツと第２の缶パーツで挟むように、前記第２の缶パーツを前記第１の缶パーツに結合して缶製品を製作する缶製品組立手段と、
を含む。
【０００９】
また、本発明の缶製品作成方法は、
所与の画像データを反転処理して生成した印刷用画像を透明フィルムの片面に印刷処理する手順と、
前記透明フィルムの印刷面を第１の缶パーツの表面に対向させる向きで配置した状態で、当該透明フィルムを第１の缶パーツの表面に被覆処理する手順と、
前記第１の缶パーツの周りにはみ出た前記透明フィルムの周縁部を前記第１の缶パーツと第２の缶パーツで挟むように、前記第２の缶パーツを前記第１の缶パーツに結合して缶製品を製作する手順と、
を含んでもよい。
また、本発明の缶製品は、
所与の画像データを反転処理して生成した印刷用画像を透明フィルムの片面に印刷処理する手順と、
前記透明フィルムの印刷面を第１の缶パーツの表面に対向させる向きで配置した状態で、当該透明フィルムを第１の缶パーツの表面に被覆処理する手順と、
前記第１の缶パーツの周りにはみ出た前記透明フィルムの周縁部を前記第１の缶パーツと第２の缶パーツで挟むように、前記第２の缶パーツを前記第１の缶パーツに結合して缶製品を製作する手順と、
で作成される缶製品であってもよい。
【００１０】
ここで、前記「所与の画像データを反転処理」とは、所与の画像データ（例えば、撮像手段で撮影され、表示手段に表示された画像データ）を反転処理して印刷用画像データを生成する処理であってもよい。
【００１１】
また、「所与の画像データを反転処理」とは、「所与の画像データの画像」を鏡面反射した際に得られる反転画像を生成する処理であってもよい。
【００１２】
また、「所与の画像データ」は、所与のレイヤ構造を有する画像データであってもよく、例えば、写真画像のレイヤに、背景画像のレイヤや、編集画像のレイヤを重畳したものであってもよい。
【００１３】
また、印刷用画像を生成するための「印刷用の画像データ」は、所与の画像データの一部を反転処理したものであってもよく、全てを反転処理したものであってもよい。
【００１４】
また、前記「被覆処理」は、例えば、透明フィルムを第１の缶パーツの表面に貼着する処理や、圧着する処理であってもよい。
【００１５】
また、印刷用の画像データが印刷される「透明フィルム」は、台紙に剥離可能に被覆されたものであってもよい。
【００１６】
また、第１の缶パーツに被覆されるフィルムの形状は、被覆対象となる第１の缶パーツの表面形状に関連つけた形状であってもよく、また、「被覆処理」を「圧着処理」で行う場合には、透明フィルムを第１の缶パーツの表面に被覆した際に、前記透明フィルムの周縁部が前記第１の缶パーツの周りにはみ出る大きさとしてもよい。
【００１７】
また、「前記第２の缶パーツの前記第１の缶パーツへの結合」は、前記第１の缶パーツの裏面側から、前記第２の缶パーツを前記第１の缶パーツに嵌合することにより行ってもよい。
【００１８】
また、「缶製品」は、前記第２の缶パーツが前記第１の缶パーツへ結合されて組立られるものであればよく、例えば、二つの缶パーツを結合して形成される、缶マグネット、缶バッジ、缶クリップ、メダル、ペンダント、コマ、装飾プレートなどであってもよい。
【００１９】
また、透明フィルムが被覆される第１の缶パーツは、その表面が、前記印刷画像の背景色を有するものとして形成してもよく、例えば、その表面を白色に塗装して形成してもよい。
【００２０】
以上の構成によれば、透明フィルムが被覆された第１の缶パーツには、前記印刷用画像が裏面側から見える状態で描画されることとなり、これにより、前記反転処理前の画像データの画像が描画されることになる。
【００２１】
特に、本発明によれば、第１の缶パーツの表面に被覆された透明フィルムの印刷面は、前記透明フィルムの他面で保護されることとなるため、第１の缶パーツの表面に印刷面を保護する保護フィルムなどの被覆が不要となり、その分、缶製品の製作をより簡素化し、作業効率を高めることができる。
【００２２】
更に、「前記透明フィルムの印刷面を第１の缶パーツの表面に対向させる向きで配置」する処理を、ユーザが手作業で行うという演出を行う場合であっても、ユーザは、一枚の透明フィルムを第１の缶パーツの表面に位置決めするという簡単な作業で前記演出を楽しみながら、缶製品の作成に関与することができる。
【００２３】
（２）本発明の缶製品作成装置は、
筐体と、
ユーザの画像を撮像する撮像手段と、
前記筐体に設けられ、前記撮像されたユーザの画像に関連つけた所与の画像データの画像を表示する表示手段と、
前記プリント手段により印刷処理された透明フィルムをユーザに提供する提供手段と、
前記所与の画像データの画像を反転処理し前記印刷用画像の画像データを生成する印刷用画像データ生成手段と、
を含んでもよい。
【００２４】
以上の構成によれば、表示手段に表示される画像により、ユーザは、撮像手段により撮像され第１の缶パーツの表面に描画される画像を確認しながら缶製品の作成を行うことができる。
【００２５】
（３）本発明の缶製品作成装置は、
筐体と、
複数の画像データを記憶する記憶手段と、
前記筐体に設けられ、所与の画像データを選択する選択手段と、
選択された画像データに基づき前記印刷用画像の画像データを生成する印刷用画像データ生成手段と、
前記プリント手段により印刷処理された透明フィルムをユーザに提供する提供手段と、
を含んでもよい。
以上の構成によれば、ユーザは、記憶手段に記憶された複数の画像データ、例えば各種のキャラクターの画像データから所与の画像データの画像を選択し、選択された所与の画像データの画像（例えば、所望のキャラクターの画像）が第１の缶パーツの表面に描画された缶製品の作成を行うことができる。
ここで、前記記憶手段に記憶された複数の画像データが、予め所与の画像の画像データを反転処理したものである場合には、印刷用画像データ生成手段は、記憶手段に記憶され選択手段により選択された画像データをそのまま用いて、前記印刷用画像の画像データを生成すればよく、また前記複数のデータが、予め所与の画像の画像データを反転処理したものでない場合には、記憶手段に記憶され選択手段により選択された画像データを反転処
理し前記印刷用画像の画像データを生成すればよい。
（４）ここにおいて、前記缶製品作成装置は、
前記筐体に設けられ、前記選択された所与の画像データの画像を表示する表示手段、を更に含んでもよい。
以上の構成によれば、表示手段に表示される画像を見ながら、ユーザは、記憶手段に記憶された複数の画像データから所与の画像データの画像を選択し、これにより、第１の缶パーツの表面に描画される画像を確認しながら缶製品の作成を行うことができる。
（５）本発明の缶製品作成装置において、
前記缶製品組立手段は、
前記透明フィルムの印刷面を第１の缶パーツの表面に対向させる向きで、当該透明フィルムを配置する透明フィルム配置手段と
複数組の第１の缶パーツ及び第２の缶パーツを収納するストッカーから、１組の第１の缶パーツ及び第２の缶パーツを取り出す取り出し手段と、
取り出した第１の缶パーツを、表面に前記透明フィルムの印刷面を配置可能な状態で前記透明フィルム配置手段に配置処理する第１の配置処理を行うとともに、
表面に前記透明フィルムが配置された前記第１の缶パーツを前記被覆手段に配置処理する第２の配置処理を行う配置手段と、
前記被覆処理された第１の缶パーツの周りにはみ出た前記透明フィルムの周縁部を前記第１の缶パーツと第２の缶パーツで挟むように、前記第２の缶パーツを前記第１の缶パーツに結合する結合手段と、
を含んでもよい。
【００２６】
以上の構成によれば、缶製品組立手段が、複数組の第１の缶パーツ及び第２の缶パーツを収納するストッカーから、１組の第１の缶パーツ及び第２の缶パーツを取り出し、この第１の缶パーツを、表面にユーザが前記透明フィルムの印刷面を配置可能な状態で前記透明フィルム配置手段に配置する。
【００２７】
ここで、前記前記透明フィルム配置手段は、「前記透明フィルムの印刷面を第１の缶パーツの表面に対向させる向きで配置」する処理を、ユーザが手作業で行う構成としてもよい。係る構成を採用することにより、ユーザは、缶製品の作成の一部に参加する演出を楽しむことができ、この場合であっても、ユーザは、一枚の透明フィルムを第１の缶パーツの表面に位置決めするという簡単な作業で前記演出を楽しみながら、缶製品の作成に関与することができる。従って、操作に不慣れな子供から大人まで、簡単な操作で、缶製品の作成という演出に係わる面白さを楽しむことができる。
【００２８】
更に、本発明によれば、缶製品組立手段が、表面に前記透明フィルムが配置された前記第１の缶パーツを被覆手段に配置し、被覆処理された第１の缶パーツの周りにはみ出た前記透明フィルムの周縁部を前記第１の缶パーツと第２の缶パーツで挟むように、前記第２の缶パーツを前記第１の缶パーツに結合する構成を採用する。
【００２９】
これにより、表面に前記透明フィルムの他面で保護された前記印刷用画像が描画された缶製品を組み立てることができる。
【００３０】
（６）本発明の缶製品作成装置は、
前記撮像手段で撮像された画像を編集する編集処理を行う編集手段を含み、
前記編集手段は、
受付けた編集入力に基づき前記編集処理を行い前記所与の画像データを生成してもよい。
【００３１】
以上の構成によれば、ユーザは、表示手段に表示される画像により、撮像手段により撮
像され第１の缶パーツの表面に描画される画像を確認しながら、当該画像の編集を行うことができる。
【００３２】
例えば編集される画像データは、撮像手段で撮像された画像のレイヤに、編集された背景画像のレイヤや、編集された前景画像のレイヤを重畳してもよく、更には、ユーザによって選択された各種のアイテム画像のレイヤを重畳してもよい。
【００３３】
これにより、ユーザは自身で編集したオリジナルな印刷用画像が描画された缶製品を作成することができる。
【００３４】
（７）本発明の缶製品作成装置において、
前記缶製品組立手段は、
前記第１の缶パーツの表面に透明フィルムが配置された後に、前記透明フィルムの印刷面が第１の缶パーツの表面に対向させる向きで配置されているかを判定する判定処理を行う判定手段を含んでもよい。
【００３５】
以上の構成によれば、第１の缶パーツの表面に透明フィルムが配置された際に、透明フィルムの裏表が間違っていることを検出し、缶製品を作成する上での誤りを未然に防止することができる。
【００３６】
（８）また、本発明の缶製品作成装置は、
前記筐体に設けられ、所与の演出画像を表示する第２の表示手段を含み、
前記撮像手段は、
前記所与の演出画像の表示中に前記第２の表示手段を見ているユーザの画像を撮像してもよい、
ここで、前記「第２の表示手段」は、筐体にのぞき窓として形成してもよく、前記撮像手段は、のぞき窓の裏面側からユーザの顔画像を撮像してもよい。この際、撮像手段は、撮像画像からユーザの顔認識を行い、ユーザの顔を含む画像をユーザの画像として撮像してもよい。
【００３７】
また、前記「第２の表示手段」は、ハーフミラーを介して、所与の演出画像を表示し、「撮像手段」は、ハーフミラーを介して、ユーザの画像を撮像してもよい。
【００３８】
以上の構成によれば、例えば、子供などのユーザが所与の演出画像を見て楽しんでいる際に、当該ユーザの画像を撮像し第１の缶パーツの表面に描画される画像のデータを生成することができる。
【００３９】
例えば、親子同伴で缶製品の作成を行う場合に、所与の演出画像を見て楽しんでいる子供の画像が撮影されて表示手段に表示され、親はその画像を見ながら、最適な画像をキャプチャして編集して、子供のオリジナルな印刷用画像が描画された缶製品を作成する面白さを楽しむことができる。
【００４０】
（９）本発明の缶製品作成装置において、
前記第１の缶パーツは、その表面が、前記印刷画像の背景色を有するものとして形成さしてもよい。
【００４１】
ここで、透明フィルムが被覆される第１の缶パーツは、その表面が、前記印刷画像の背景色を有するものとして形成してもよく、例えば、その表面を白色に塗装して形成してもよい。
【００４２】
以上の構成によれば、第１の缶パーツの表面に印刷画像が鮮明に描画された缶製品を作成することができる。
【００４３】
（１０）本発明の玩具媒体作成装置は、
所与の画像データを反転処理して生成した印刷用画像を透明フィルムの片面に印刷処理するプリント手段と、
前記透明フィルムの印刷面を玩具媒体の表面に対向させる向きで配置した状態で、当該透明フィルムを前記玩具媒体の表面に被覆処理する被覆手段と、
を含み、
表面に前記透明フィルムの他面で保護された前記印刷用画像が描画された玩具媒体を作成する構成であってもよい。
【００４４】
以上の構成によれば、玩具媒体の表面に被覆された透明フィルムの印刷面は、前記透明フィルムの他面で保護されることとなるため、玩具媒体の表面に印刷面を保護する保護フィルムなどの被覆が不要となり、その分、玩具媒体の製作をより簡素化し、作業効率を高めることができる。
ここで、前記「玩具媒体」とは、遊戯の対象となる媒体であり、例えば遊戯用のカード、メンコ、独楽であってもよい。
また、前記玩具媒体作成装置は、前記プリント手段に、所与の画像データを反転処理して生成した印刷用画像の画像データを提供する手段を設けることが好ましく、係る印刷用画像の画像データを提供する手段は、例えば、予め所与の画像の画像データを反転処理した画像データが用意される場合には、当該画像データをそのまま用いて、前記印刷用画像の画像データを生成して前記プリント手段に提供すればよく、また所与の画像の画像データが予め反転処理されずに用意される場合には、当該画像データを反転処理し前記印刷用画像の画像データを生成し前記プリント手段に提供すればよい。
【００４５】
（１１）本発明の玩具媒体作成装置は、
複数の画像データがレイヤ構造に重畳されて構成された所与の画像データであって、少なくとも一つのレイヤの画像データは、ゲームに関連付けた画像データとして生成された前記所与の画像データの画像を描画した玩具媒体を作成する装置において、
前記所与の画像データを反転処理して生成した印刷用画像を透明フィルムの片面に印刷処理するプリント手段と、
前記透明フィルムの印刷面を玩具媒体の表面に対向させる向きで配置した状態で、当該透明フィルムを前記玩具媒体の表面に被覆処理する被覆手段と、
を含み、
表面に前記透明フィルムの他面で保護された前記印刷用画像が描画された玩具媒体を作成する構成であってもよい。
【００４６】
以上の構成によれば、表面に前記透明フィルムの他面で保護された前記印刷用画像が描画された玩具媒体を作成するに際し、前記印刷用画像のもととなる画像データは、複数の画像データがレイヤ構造に重畳されて構成された画像データして構成され、少なくとも一つのレイヤの画像データは、ゲームに関連付けた画像データとして生成される。このため、ユーザは、自身の楽しむゲームの状況に関連付けた画像を描画したオリジナルな玩具媒体を作成する面白さを楽しむことができる。
ここで、前記玩具媒体作成装置は、前記プリント手段に、所与の画像データを反転処理して生成した印刷用画像の画像データを提供する手段を設けることが好ましく、係る印刷用画像の画像データを提供する手段は、例えば、予め所与の画像の画像データを反転処理した画像データが用意される場合には、当該画像データをそのまま用いて、前記印刷用画像の画像データを生成して前記プリント手段に提供すればよく、また所与の画像の画像データが予め反転処理されずに用意される場合には、当該画像データを反転処理し前記印刷
用画像の画像データを生成し前記プリント手段に提供すればよい。
【００４７】
（１２）本発明のゲーム装置は、
前記（１１）の玩具媒体作成装置を含むゲーム装置であって、
プレーヤのゲーム状況を判別するゲーム状況判別手段と、
複数の画像データを記憶する記憶手段と、
判別されたゲーム状況に応じた画像データを選択して前記所与の画像データを生成する第３の処理手段と、
を含む構成であってもよい。
以上の構成によれば、複数の画像データからゲーム状況に応じた画像データが選択されるため、ユーザはプレーヤとしてゲームを楽しみながら、当該ゲームの状況を反映した画像を描画したオリジナルな玩具媒体を作成することができる。
ここで、前記記憶手段に記憶された複数の画像データが、予め所与の画像の画像データを反転処理したものである場合には、記憶手段から選択された画像データをそのまま用いて、前記印刷用画像の画像データを生成すればよく、また前記複数のデータが、予め所与の画像の画像データを反転処理したものでない場合には、記憶手段から選択された画像データを反転処理し前記印刷用画像の画像データを生成すればよい。
（１３）また、前記ゲーム装置は、
前記選択された画像データの画像を表示する表示手段を更に含む構成であってもよい。
（１４）本発明のゲーム装置は、
前記（１１）の玩具媒体作成装置を含むゲーム装置であって、
プレーヤのゲーム状況を判別するゲーム状況判別手段と、
判別されたゲーム状況を反映した第１の画像データを生成するとともに、前記プレーヤの指示に基づき作成される第２の画像データを前記第１の画像データに重畳し、複数の画像データがレイヤ構造に重畳されて構成された前記所与の画像データを生成する第１の処理手段と、
前記所与の画像データを反転処理して印刷用画像の画像データを生成する第２の処理手段と、
を含む構成であってもよい。
【００４８】
以上の構成によれば、ユーザはプレーヤとしてゲームを楽しみながら、当該ゲームの状況を反映した画像を描画したオリジナルな玩具媒体を作成することができ、更には、当該ゲームの状況を反映した画像と、ユーザの指示に基づき作成される第２の画像、例えば編集画像とを重畳した画像を生成し、ユーザの趣向を更に反映させたオリジナルな画像を描画した玩具媒体を作成する面白さを楽しむことができる。
【００４９】
（１５）本発明の玩具媒体作成装置は、
前記所与の画像データを反転処理して生成した印刷用画像を透明フィルムの片面に印刷処理するプリント手段と、
前記透明フィルムの印刷面を玩具媒体の表面に対向させる向きで配置した状態で、当該透明フィルムを前記玩具媒体の表面に被覆処理する被覆手段と、
を含み、
前記プリント手段は、
前記印刷用画像を、透明フィルムの片面に凹凸層を形成する印刷用画像として印刷処理し、
表面に前記透明フィルムの他面で保護された前記凹凸層を有する印刷用画像が描画された玩具媒体を作成する構成であってもよい。
【００５０】
以上の構成によれば、プリント手段は、印刷用画像を、透明フィルムの片面に凹凸層を形成する印刷用画像として印刷するため、前記凹凸により光源に対する陰影が際立った画
像が描画された玩具媒体を作成することができる。
【図面の簡単な説明】
【００５１】
【図１】一実施形態における缶バッジの分解斜視図である。
【図２】一実施形態における缶バッジ作成工程の概略説明図である。
【図３】同図（Ａ）は、一実施形態における缶バッジの表面に描画する画像の一例であり、同図（Ｂ）は、同図（Ａ）の画像を反転処理した画像の一例である。
【図４】一実施形態における缶製品作成造装置の基本構成のブロック図である。
【図５】一実施形態における缶製品作成造装置の外観説明図である。
【図６】一実施形態におけるのぞき窓の内部の構成の概略説明図である。
【図７】一実施形態における缶製品作成造装置の機能ブロック図である。
【図８】一実施形態におけるのぞき窓の演出画像である。
【図９】一実施形態における撮像されたユーザの画像に関連つけた画像の一例であり、同図（Ｂ）は、同図（Ａ）の画像を反転処理した画像の一例である。
【図１０】同図（Ａ）は、一実施形態における台紙に剥離可能な状態で被覆された状態の透明フィルムの説明図であり、同図（Ｂ）は、同図（Ａ）の透明フィルムを表蓋の表面に配置する作業の説明図であり、同図（Ｃ）は、同図（Ａ）の透明フィルムを用いて形成された缶バッジを表面側から見た説明図であり、同図（Ｄ）は、同図（Ａ）の透明フィルムを用いて形成された缶バッジを裏面側から見た説明図である。
【図１１】一実施形態における前記缶製品組立手段と、前記被覆手段の機械的な構成の概略説明図である。
【図１２】一実施形態における第１受け型と押圧型の一連の動作の説明図である。
【図１３】一実施形態における第１受け型と押圧型の一連の動作の説明図である。
【図１４】一実施形態における第２受け型と押圧型の一連の動作の説明図である。
【図１５】一実施形態における第２受け型と押圧型の一連の動作の説明図である。
【図１６】一実施形態における処理のフローの一例を示す図である。
【図１７】従来の缶バッジの分解図である。
【発明を実施するための形態】
【００５２】
以下、本実施形態について説明する。なお、以下に説明する本実施形態は、特許請求の範囲に記載された本発明の内容を不当に限定するものではない。また本実施形態で説明される構成の全てが、本発明の必須構成要件であるとは限らない。
【００５３】
［１］缶製品（缶バッジ）
まず、図１〜図３を用いて本実施形態の缶製品の作成工程の概要構成について説明する。ここでは、缶製品の一例として、缶バッジの作成工程の概要を説明する。
【００５４】
図１は、作成途中の缶製品の一例である缶バッジ１０の分解斜視図である。
【００５５】
缶バッジ１０は、第１の缶パーツとしての表蓋１２と、第２の缶パーツとしての裏蓋１４と、視認可能な図柄が片面を印刷面として印刷された透明フィルム２０と、を備える。
【００５６】
表蓋１２は、周縁が下方に向いた円形の金属板として形成され、裏蓋１４は、周縁が上方に向いた円形の金属板として形勢され、裏蓋１４の表面中央部には、完成した缶バッジ１０を取り付けるための留め具として、マグネット１６が一体的に固定されている。
【００５７】
前記透明フィルム２０は、透過性を有する円形の合成樹脂等（例えばＰＥＴ）のシート体等として形成されており、所与の画像データを反転処理して生成した印刷用画像２２が、透明フィルム２０の片面２０ａに印刷処理されている。
【００５８】
また、前記透明フィルム２０の形状は、被覆対象となる表蓋１２の表面１２ａの形状に関連つけた形状とすることが好ましく、本実施形態では、表蓋１２への被覆処理を圧着処理で行うため、透明フィルム２０を表蓋１２の表面１２ａに被覆した際に、前記透明フィルム２０の周縁部２０ｂが前記表蓋１２の周縁部１２ｂから周りにはみ出る大きさとして形成されている。
【００５９】
また、前記缶バッジ１０の表蓋１２は、その表面１２ａが、前記印刷画像の背景色を有するものとして形成することが好ましく、本実施形態では、白色に塗装して形成されている。
【００６０】
以上の構成とすることにより、表蓋１２の表面１２ａに画像２２が鮮明に描画された缶バッジ１０を作成することができる。
【００６１】
（缶バッジの作成工程）
図２は、本実施形態の缶バッジ作成工程の概略説明図である。
【００６２】
本実施形態の缶製品作成方法は、
（ａ）  図２（Ａ）に示すように、透明フィルム２０の片面を印刷面２０ａとし、所与の画像データを反転処理して生成した印刷用画像２２を前記印刷面２０ａに印刷処理する手順と、
（ｂ）  図２（Ｂ）に示すように、前記透明フィルム２０の印刷面２０ａを第１の缶パーツとしての表蓋１２の表面１２ａに対向させる向きで配置した状態で、当該透明フィルム２０を表蓋１２の表面１２ａに被覆処理する手順と、
Ｃｃ）  図２（Ｃ）に示すように、前記第１の缶パーツである表蓋１２の周縁部１２ｂからはみ出た前記透明フィルム２０の周縁部２０ｂを、前記表蓋１２と第２の缶パーツとしての裏蓋１４で挟むように、前記裏蓋１４を前記表蓋１２に結合して缶製品としての缶バッジ１０を製作する手順と、
を含む。
【００６３】
以上の構成とすることにより、前記手順に従って作成された缶バッジ１０の表面には、前記印刷用画像が裏面側から見える状態で描画されることとなり、これにより、前記反転処理前の画像データの画像が缶バッジ１０の表面に描画されることになる。
【００６４】
例えば、図３（Ａ）の甲及び乙の人物が写った画像を、缶バッジ１０の表面に描画する場合には、図３（Ａ）の画像を図３（Ｂ）の画像に反転する画像データの反転処理を行い、図３（Ｂ）の印刷用画像の画像データを生成する。そして、この印刷用画像の画像データに基づき、図３（Ｂ）の印刷用画像２２を、透明フィルム２０の印刷面２０ａに印刷する。そして、前記透明フィルム２０の印刷面２０ａを表蓋１２の表面１２ａに対向させる向きで配置した状態で、当該透明フィルム２０を表蓋１２の表面１２ａに被覆する。これにより、完成した缶バッジ１０の表面には、前記印刷用画像２２が透明フィルム２０の裏面側から図３（Ａ）の画像として見える状態で描画されることとなる。
【００６５】
更に、上記構成とすることにより、表蓋１２の表面１２ａに被覆された透明フィルム２０の印刷面２０ａは、前記透明フィルム２０の表面２０ｃで保護されることとなるため、表蓋１２の表面１２ａに印刷された画像２２を保護する保護フィルムなどの被覆が不要となり、その分、缶バッジ１０などの缶製品の製作をより簡素化し、作業効率を高めることができる。
【００６６】
更に、前記「前記透明フィルムの印刷面を第１の缶パーツとしての表蓋１２の表面１２ａに対向させる向きで配置」する処理を、ユーザが手作業で行うという演出を行う場合で
あっても、ユーザは、一枚の透明フィルム２０を表蓋１２の表面１２ａに位置決めするという簡単な作業で前記演出を楽しみながら、缶製品の作成に関与することができる。
【００６７】
ここで、例えば図３（Ａ）の所与の画像データは、所与のレイヤ構造を有する画像データであってもよく、例えば、写真画像のレイヤに、背景画像のレイヤや、編集画像のレイヤを重畳したものであってもよい。
【００６８】
また、印刷用画像２２を生成するための「印刷用の画像データ」は、所与の画像データの一部を反転処理したものであってもよく、全てを反転処理したものであってもよい。
【００６９】
また、本実施形態の缶バッジ１０では、前述したように、裏蓋１４、表蓋１２、透明フィルム２０が、この順番で重畳されている。そして、この缶バッジ１０は、前記透明フィルム２０の周縁部２０ｂが折り曲げられて表蓋１２の周縁部１２ｂと裏蓋１４の周縁部１４ｂとの間に挟み込まれた状態で、表蓋１２の周縁部１２ｂを裏蓋１４の周縁部１４ｂにかしめて形成されている。
【００７０】
そして、上記のように形成された缶バッジ１０は、裏蓋１４にマグネット１６が一体的に固定されているため、壁などに簡単にとりつけて使用することができ、また、マグネットに代えて、他の留め具、例えば、安全ピンや、チェーンなどを取り付けるようにしてもよく、このようにすることにより、服、バッグなどの所望の被装着部に装着することができる。
【００７１】
［２］缶製品作成装置
次に、図１、図２に示した缶バッジ１０を作成する本実施形態の缶製品作成造装置について説明する。
【００７２】
２−１：  基本構成
図４は、本実施形態の缶製品作成装置１００の基本構成のブロック図である。
【００７３】
本実施形態の缶製品作成装置１００は、
（ａ）  所与の画像データを反転処理して生成した印刷用画像を透明フィルム２０の片面２０ａに印刷処理するプリント手段１２０と、
（ｂ）  前記透明フィルム２０の印刷面２０ａを第１の缶パーツである表蓋１２の表面１２ａに対向させる向きで配置した状態で、当該透明フィルム２０を第１の缶パーツである表蓋１２の表面１２ａに被覆処理する被覆手段１３０、
（ｃ）  前記第１の缶パーツである表蓋１２の周りにはみ出た前記透明フィルム２０の周縁部２０ｂを前記第１の缶パーツである表蓋１２と第２の缶パーツである裏蓋１４で挟むように、前記第２の缶パーツである裏蓋１４を前記第１の缶パーツである表蓋１２に結合して缶製品である缶バッジ１０を製作する缶製品組立手段１４０と、
を備える。
【００７４】
また、前記「所与の画像データを反転処理して生成した印刷用画像を透明フィルム２０の片面２０ａに印刷処理する」ための印刷用画像データを生成するため、本実施形態の缶製品作成装置１００は、
（ｄ）  ユーザの入力を受付ける入力手段１０２と、
（ｅ）  ユーザの画像を撮像する撮像手段１０４と、
（ｆ）  前記撮像されたユーザの画像に関連つけた所与の画像データの画像を表示する表示手段１０６と、
（ｇ）  前記撮像手段１０４で撮像された画像を、受付けた編集入力に基づき編集する編集処理を行い、編集画像を前記所与の画像データとして表示手段１０６に画像表示させる
編集手段１０８と、
（ｈ）  前記編集後の所与の画データの画像を反転処理し印刷用画像の画像データを生成する印刷用画像データ生成手段１１０と、
を備え、前記印刷用画像の画像データをプリント手段１２０に提供する構成を採用する。
【００７５】
以上の構成とすることにより、ユーザは、撮像手段１０４により撮像され第１の缶パーツ（表蓋１２）の表面１２ａに描画される画像を、表示手段１０６に表示される画像をみながら所望の画像に編集し、缶製品（缶バッジ１０）の作成を行うことができる。
【００７６】
２−２：  缶製品作成装置１００の具体的構成
図５は、本実施形態の缶製品作成装置１００の一例の外観を示す斜視図、図７は、図５に示す缶製品作成装置１００の機能ブロック図である。
【００７７】
本実施形態の缶製品作成装置１００は、筐体２００の前面に、のぞき窓２１０、表示手段１０６としてのタッチパネル型表示部２２０、フィルム排出口２３０、組立室２４０、缶バッジ排出口２５０等が設けられている。
【００７８】
更に、図７に示すように、本実施形態の缶製品作成装置１００は、各種の処理を行う処理部１６０を含み、前記処理部１６０は、表示画像生成部１６２、編集部１６４、印刷用画像データ生成部１６６、印刷制御部１６８、判定部１７０、組立制御部１７２として機能するように構成されている。
【００７９】
（のぞき窓２１０（撮像手段１０４））
前記のぞき窓２１０には、ユーザの興味を誘う演出画像、例えば図８に示すようなアニメーション動画像が演出表示され、子供等が興味をもって覗き込む演出が行われている。この演出画像の生成は、図７に示す処理部１６０の表示画像生成部１６２が行う。
【００８０】
図６には、前記のぞき窓２１０の内部の構成が概略的に示されており、のぞき窓２１０の窓ガラス２１４の裏面側には第２の表示部１１６が設けられている。第２の表示部１１６は、窓ガラス２１４の裏面側に配置されたハーフミラー２１８と、このハーフミラー２１８の透過光路側に配置され前記演出画像を表示するディスプレイ２１９とを含んで構成される。
【００８１】
また、ハーフミラー２１８の反射光路側には、撮像手段１０４を構成するカメラ１０４ａが配置されており、前記のぞき窓２１０を覗き込んだユーザ、特にユーザの顔を撮影する。
【００８２】
以上の構成によれば、例えば、子供などのユーザが所与の演出画像を見て楽しんでいる際に、当該ユーザの画像を撮像し缶製品である缶バッジ１０の表面に描画される画像のデータを生成することができる。
【００８３】
例えば、親子同伴で缶バッジ１０の作成を行う場合に、所与の演出画像を見て楽しんでいる子供の画像が撮影され、前記タッチパネル型表示部２２０に表示されると、親はその画像を見ながら、最適な画像をキャプチャして編集して、子供のオリジナルな印刷用画像が描画された缶バッジ１０を作成する面白さを楽しむことができる。
【００８４】
（タッチパネル型表示部２２０（表示手段１０６、編集手段１０８））
前記タッチパネル型表示部２２０は、表示手段１０６としてのディスプレイ１０６ａと、このディスプレイ１０６ａ上に配置された入力手段１０２としてのタッチパネル１０２ａとを含んで構成される。
【００８５】
そして、このタッチパネル型表示部２２０は、装置の使用方法の説明画面や、前述した透明フィルム２０に印刷する画像の編集画面の表示等を適宜行う。図７に示す表示画像生成部１６２がこの表示画像の生成を行う。
【００８６】
特に、ユーザが前記のぞき窓２１０を覗き込み、カメラ１０４ａがユーザの画像を撮影すると、表示画像生成部１６２は、前記撮像されたユーザの画像に関連つけた所与の画像データの画像を生成し、このタッチパネル型表示部２２０に表示する処理を行う。
【００８７】
図９（Ａ）には、タッチパネル型表示部２２０に表示されたユーザの画像に関連つけた画像の一例が示されている。ユーザは、タッチパネル１０２ａを操作することにより表示された画像を編集し、缶バッジ１０の表面に描画する所望の印刷画像を作成することができる。
【００８８】
すなわち、図７に示す編集部１６４は、タッチパネル１０２ａから受付けた編集入力に基づき、タッチパネル型表示部２２０に表示される「撮像されたユーザの画像」の編集処理を行う。
【００８９】
以上の構成とすることにより、ユーザは、タッチパネル型表示部２２０に表示される画像により、カメラ１０４ａにより撮像され缶バッジ１０の表面に描画される画像を確認しながら、当該画像の編集を行うことができる。
【００９０】
例えば編集される画像データは、カメラ１０４ａで撮像された画像のレイヤに、編集された背景画像のレイヤや、編集された前景画像のレイヤを重畳してもよく、更には、図９（Ａ）に示すように、ユーザによって選択された各種のアイテム画像や、フレーム画像のレイヤを重畳してもよい。
【００９１】
これにより、ユーザは自身で編集したオリジナルな印刷用画像が描画された缶バッジ１０を作成することができる。
【００９２】
（印刷用画像データ生成手段１１０）
ユーザがタッチパネル１０２ａから編集終了の入力を行うことで、ユーザによる上記画像の編集が終了する。
【００９３】
画像の編集が終了すると、印刷用画像データ生成部１６６（印刷用画像データ生成手段１１０）は、編集が終了した画像を反転させた印刷用画像の画像データを生成する処理を行う。例えば、編集した画像が図９（Ａ）に示す画像である場合には、当該画像を鏡面反転させた図９（Ｂ）に示す印刷用画像の画像データを生成する。
【００９４】
なお、本実施形態では、編集画像の全てを反転させて印刷用画像の画像データを生成する場合を例にとり説明したが、必要に応じ、編集画像の一部を反転処理し印刷用画像の画像データを生成してもよい。
【００９５】
（プリント手段１２０及びフィルム排出口２３０）
本実施形態のプリント手段１２０は、図７に示す印刷制御部１６８及びプリント部１２１を含んで構成される。
【００９６】
印刷制御部１６８は、印刷用画像の画像データを受け取ると、プリント部１２１に当該画像の透明フィルム２０への印刷を指示する。そして、プリント部１２１は、例えば、図１０（Ａ）に示すように、台紙２１に剥離可能な状態で貼着された状態の透明フィルム２
０の印刷面（片面）２０ａに前記印刷用画像の印刷を行う。なお、透明フィルム２０は表面粗さが各面で異なる場合、粗い面が印刷面に使われ、台紙２１側が粗くない面として形成されている。そして、透明フィルム２０の粗くない面（つるつるとした面）が接着面となって台紙２１に貼着されている。
【００９７】
印刷が終了すると、当該透明フィルム２０は、台紙２１に貼着された状態で、フィルム排出口２３０から排出され、ユーザに提供される。
【００９８】
そして、ユーザは、図１０（Ａ）に示すように、提供された台紙２１から透明フィルム２０を剥がし取る。
【００９９】
（透明フィルム２０の配置）
本実施形態の缶製品作成装置１００では、後述するように、透明フィルム２０への印刷処理のタイミングに同期して、組立室２４０内部では、表蓋１２が表面１２ａを上に向けた状態で待機する待機状態となる処理が行われる。
【０１００】
従って、提供された台紙２１から透明フィルム２０を剥がし取ったユーザは、組立室２４０の扉２４２を開け、図１０（Ｂ）に示すように、当該透明フィルム２０を、印刷面２０ａが表蓋１２の表面１２ａに対向させる向きとなるように配置する
すなわち、この組立室２４０の内部には、後述する第１の受け型３５０が、第１の台座３５２の表面３５２ａ上に表蓋１２が載置した
状態で待機している。この第１の受け型３５０には、リング状のガイド壁３６２で囲まれた透明フィルム載置面３６４が設けられており、ユーザはこの透明フィルム載置面３６４に印刷面２０ａを下に向けて透明フィルム２０を載置することにより、透明フィルム２０の印刷面２０ａを表蓋１２の表面１２ａに正確に位置決めして配置することができる。
【０１０１】
なお、本実施形態では、透明フィルム２０を表蓋１２の表面に配置することをユーザが行っているが、必要に応じ、この工程をユーザを介さずに自動化して行うように構成してもよい。
【０１０２】
（缶製品組立手段１４０及び被覆手段１３０）
次に、缶製品である缶バッジ１０の組立のための構成を詳細に説明する。
【０１０３】
前述したように、本実施形態の缶製品作成装置１００は、
（ａ）  前記透明フィルム２０の印刷面２０ａを第１の缶パーツとしての表蓋１２の表面１２ａに対向させる向きで配置した状態で、当該透明フィルム２０を第１の缶パーツとしての表蓋１２の表面１２ａに被覆処理する被覆手段１３０と、
（ｂ）  前記第１の缶パーツとしての表蓋１２の表面１２ａの周りにはみ出た前記透明フィルム２０の周縁部２０ｂを前記第１の缶パーツとしての表蓋１２と第２の缶パーツとしての裏蓋１４で挟むように、前記第２の缶パーツとしての裏蓋１４を前記第１の缶パーツとしての表蓋１２に結合して缶製品を製作する缶製品組立手段１４０と、
を含んで構成される。
【０１０４】
図７に示すように、前記缶製品組立手段１４０は、取出し配置部１４２と、結合部１４６と、排出部１４７と、フィルム配置検出部１４８と、を備えている。
【０１０５】
図１１には、前記缶製品組立手段１４０と、前記被覆手段１３０の機械的な構成が概略的に示されている。同図において、Ｘ軸が水平方向、Ｙ軸が垂直方向、Ｚ軸が奥行き方向を表しており，Ｚ軸の手前側が、筐体２００の前面方向となる。なお、Ｘ軸は筐体２００
を前面から見た状態での水平方向を表す。
【０１０６】
前記缶製品組立手段１４０は、ストッカー３００と、取出し機構３１０と、圧着機構３３０とを含む。
【０１０７】
先ず、圧着機構３３０の構成について、以下に説明する。
【０１０８】
（被覆処理）
圧着機構３３０は、筐体２００の床面に固定されたベース３３２上をＺ軸方向に移動制御されるスライド部３４０を備え、スライド部３４０上には、Ｚ軸方向に所定間隔をもって第１受け型３５０と、第２受け型３６０とが固定配置されている。
【０１０９】
第１受け型３５０は、表蓋１２が表面１２ａを上に向けて載置され、更に透明フィルム２０の印刷面２０ａを表蓋１２の表面１２ａに正確に位置決めして載置できる構造に形成されている。
【０１１０】
第２受け型３７０は、裏蓋１４が裏面を上に向けて載置される構造に形成されている。
【０１１１】
また、第１受け型３５０と、第２受け型３７０のＺ軸方向への移動経路の上方には、押圧型３９０が配置され、図１２に示すように押圧型３９０の真下に第１受け型３５０が停止制御された状態で、図１３に示すように押圧型３９０が第１受け型３５０に向けて下降し、第１受け型３５０上に図２（Ａ）に示すように載置されている透明フィルム２０と表蓋１２とを圧着処理する。これにより、図２（Ｂ）に示すように、透明フィルム２０の印刷面２０ａを表蓋１２の表面１２ａに対向させる向きで配置した状態で、当該透明フィルム２０が表蓋１２の表面１２ａに被覆されることになる。
【０１１２】
（結合処理）
この被覆処理が終了した時点で、透明フィルム２０が被覆された表蓋１２は、図１４に示すように、押圧型３９０の外枠３９２の内周面３９２ｂにホールドされた状態となって第１受け型３５０から押圧型３９０に受け渡される。
【０１１３】
その後、押圧型３９０が上方に退避すると、透明フィルム２０が被覆された表蓋１２も、押圧型３９０の内周面３９２ｂにホールドされた状態で上方に搬送される。
【０１１４】
次に、図１４に示すように押圧型３９０の真下に第２受け型３７０が停止制御されると、図１５に示すように押圧型３９０が第２受け型３７０に向けて下降し、その内周面３９２ｂにホールドされた表蓋１２を、第２受け型３７０上に図２（Ｂ）に示すように載置されている裏蓋１４に圧着する圧着処理を行う。
【０１１５】
これにより、図２（Ｃ）に示すように、表蓋１２の周縁部１２ｂからはみ出た前記透明フィルム２０の周縁部２０ｂを、前記表蓋１２の周縁部１２ａと裏蓋１４の周縁部１４ｂとで挟むように、前記裏蓋１４が前記表蓋１２に結合して缶製品としての缶バッジ１０が製作される。ここでは、前記裏蓋１４が前記表蓋１２の内側に嵌合して缶バッジ１０が製作される。
【０１１６】
この前記裏蓋１４と前記表蓋１２の結合が完了した時点で、完成した缶バッジ１０は押圧型３９０の外枠３９２の内周面３９２ｂにホールドされた状態となる。
【０１１７】
（缶バッジ１０の排出処理）
その後、押圧型３９０が上方に退避すると、缶バッジ１０は押圧型３９０の内壁にホー
ルドされた状態で上方に搬送される。上方への退避が終了すると、押圧型３９０は、図示しないシュータ上に移動し、押圧部３９４を下方に移動することで外枠３９２の内周面３９２ｂにホールドされた缶バッジ１０を押し出してシュータ上に排出する。これにより、缶バッジ１０は、シュータを介して筐体２００の前面に形成された缶バッジ排出口２５０から排出され、ユーザに提供される。
【０１１８】
（第１受け型３５０と、押圧型３９０の一連の動作（被覆処理））
図１２、図１３には、第１受け型３５０と、押圧型３９０の一連の動作が示されている。
【０１１９】
図１２に示すよう、第１受け型３５０は、スライド部３４０の床面上に取り付けられた円柱形状の第１の台座３５２と、第１の台座３５２の外周面に沿って上下方向（Ｙ軸方向）にスライド移動するスライド型枠３６０と、スライド部３４０の床面とスライド型枠３６０の底面との間に設けられスライド型枠３６０を上方所定位置に向け付勢するスプリング３５６とを備える。
【０１２０】
第１の台座３５２の表面３５２ａは、表蓋１２の載置する円形をした平面形状に形成され、その直径は表蓋１２の内径より幾分小さく形成されている。
【０１２１】
スライド型枠３６０は、略円筒形状に形成され、その内周面は、第１の台座３５２の外周面と摺動自在に形成されている。
【０１２２】
スライド型枠３６０の外周上端部は、リング状のガイド壁３６２として形成され、このガイド壁３６２の内周面３６２ｂ側には、第１の台座３５２を中心にしたリング状のフィルム載置面３６４が形成されている。このフィルム載置面３６４の直径は、透明フィルム２０の直径より若干大きく形成されている。
【０１２３】
これにより、図１２に示すように、ユーザは、ガイド壁３６２をガイドとして透明フィルム２０をフィルム載置面３６４に簡単に位置決めしながら載置することができる。
【０１２４】
また、スライド型枠３６０の上端内周面と前記リング状のフィルム載置面３６４との間には切欠部３６６が形成され、第１の台座３５２の表面３５２ａに載置された表蓋１２の周縁部１２ｂを収納する空隙３５３を形成している。
【０１２５】
また、スプリング３５６により上方に付勢されたスライド型枠３６０は、図示しないストッパ機構により、図１２で示す上端位置で、上方への移動が規制される。この上端位置において、フィルム載置面３６４は、第１の台座３５２の表面３５２ａより表蓋１２の厚み分だけ高く位置するように構成されている。
【０１２６】
上記構成とすることにより、第１受け型３５０の上端には、表蓋１２が第１の台座３５２上に位置決め載置され、更に表蓋１２の表面１２ａと重畳するように透明フィルム２０がフィルム載置面３６４上に位置決め載置される。
【０１２７】
前記押圧型３９０は、押圧部３９４と、前記押圧部３９４を保持する外枠３９２とを備える。押圧部３９４は、外枠３９２内部において下方向に摺動可能に保持されており、その先端の押圧面３９４ａは、第１の台座３５２の表面３５２ａと略同径又は若干大きめの直径の円形平面として形成され、図１３に示すように、第１の台座３５２の表面３５２ａとの間で、透明フィルム２０と表蓋１２とを圧着処理するように構成されている。
【０１２８】
外枠３９２は、下端面側がリング状に形成されており、外枠３９２が下方に移動すると
、その端面３９２ａは、第１受け型３５０のスライド型枠３６０の端面３６２ａと当接して、図１３に示すように、スライド型枠３６０をスプリング３５６の付勢力に抗して所定位置まで押し下げる。これにより、押圧部３９４の押圧面３９４ａが第１の台座３５２の表面３５２ａに圧着するように動作する。
【０１２９】
なお、外枠３９２の下端の内周面３９２ｂは、その内径が第１の台座３５２の表面３５２ａの直径より幾分大きめに形成されている。これにより、図１３に示すように、押圧型３９０を第１受け型３５０に圧着した際に、第１の台座３５２の上端外周面３５２ｂと外枠３９２の下端の内周面３９２ｂとの間に、表蓋１２の周縁部１２ｂと、この周縁部１２ｂからはみ出た前記透明フィルム２０の周縁部２０ｂを下方に折込んで収納する空隙３９５が形成されるようになっている。
【０１３０】
上述した、図１２、図１３に示す一連の動作を、第１受け型３５０及び押圧型３９０に実行させることにより、図２（Ｂ）に示すように、当該透明フィルム２０が表蓋１２の表面１２ａに被覆されることになる。
【０１３１】
（第２受け型３７０と、押圧型３９０の一連の動作（結合処理））
図１４、図１５には、第２受け型３７０と、押圧型３９０の一連の動作が示されている。
【０１３２】
図１４に示すよう、第２受け型３７０は、スライド部３４０の床面上に取り付けられた円柱形状の第２の台座３７２と、第２の台座３７２の外周面に沿って上下方向（Ｙ軸方向）にスライド移動するスライド型枠３８０と、スライド部３４０の床面とスライド型枠３８０の底面との間に設けられスライド型枠３８０を上方所定位置に向け付勢するスプリング３７６とを備える。
【０１３３】
第２の台座３７２の表面３７２ａは、裏蓋１４の載置する円形をした平面形状に形成され、その直径は裏蓋１４より幾分小さく形成されている。
【０１３４】
スライド型枠３７０は、略円筒形状に形成され、その内周面３８２ｄは、第２の台座３７２の外周面と摺動自在に形成されている。
【０１３５】
スライド型枠３８０の上端には、リング状の端面３８２が形成されており、この端面３８２の内端部側には、内周面３８２ｄの上端に向け下方に傾斜するテーパ面３８４が形成されている。このテーパ面３８４は、図１５に示すように、表蓋１２と裏蓋１４の結合時には、表蓋１２の周縁部１２ｂと、この周縁部１２ｂからはみ出た前記透明フィルム２０の周縁部２０ｂを内側に巻き込むガイド面として機能する。
【０１３６】
また、スプリング３７６により上方に付勢されたスライド型枠３８０は、図示しないストッパ機構により、図１４で示す上端位置で、上方への移動が規制される。
【０１３７】
この上端位置において、スライド型枠３８０の内周面３８２ｄは、第２の台座３７２の表面３７２ａより裏蓋１４の厚み分だけ高く突出するように構成され、このとき内周面３８２ｄは、裏蓋１４を第２の台座３７２上に位置決め載置する際のガイドとして機能するようになっている。
【０１３８】
前記第２の台座３７２の表面３７２ａは、押圧型３９０の先端の押圧面３９４ａと略同径の円形平面として形成されている。
【０１３９】
そして、押圧型３９０が第１受け型３５０に向けて下降すると、外枠３９２の端面３９
２ａは、第２受け型３７０のスライド型枠３８０の端面３８２ａと当接して、図１５に示すようにスライド型枠３８０をスプリング３７６の付勢力に抗して所定位置まで押し下げ、これにより、内部の押圧部３９４の押圧面３９４ａを第２の台座３７２の表面３７２ａに圧着する方向に移動させる。
【０１４０】
以上のようにして、押圧型３９０内周面３９２ｂにホールドされた透明フィルム２０が被覆された表蓋１２を、第２受け型３７０上に図２（Ｂ）に示すように載置されている裏蓋１４に圧着する圧着処理を行う。
【０１４１】
これにより、図２（Ｃ）に示すように、表蓋１２の周縁部１２ｂからはみ出た前記透明フィルム２０の周縁部２０ｂを前記表蓋１２と裏蓋１４で挟むように、前記裏蓋１４が前記表蓋１２に結合して缶製品としての缶バッジ１０が製作される。
【０１４２】
（ストッカー３００から第１及び第２受け型３５０、３７０への缶パーツの搬送）
次に、ストッカー３００及び取出し機構３１０について説明する。
【０１４３】
図１１に示すように、本実施形態のストッカー３００及び取出し機構３１０は、前記スライド部３４０に対してＸ方向に隣接して配置されている。
【０１４４】
前記ストッカー３００は、第１の缶パーツとしての表蓋１２及び第２の缶パーツとしての表蓋１２を一組のパーツ部材１５として、複数組のパーツ部材１５を縦方向に収納する筒状のストッカーとして形成され、その下端部は開口されている。
【０１４５】
前記取出し機構３１０は、ストッカー３００の下端部に配置され、ストッカー３００の下端から一組のパーツ部材１５を裏蓋１４、表蓋１２の順で取り出す回転板３１２を備える。
【０１４６】
回転板３１２には、回転中心をはさんだ点対称位置に筒状に窪んだ一対の蓋受け部が設けられており、一方の蓋受け部をストッカー３００の下端開口部に位置決め制御すると、最初に裏蓋１４が裏面側を上にして当該蓋受け部に落下して収納され、この状態から更に回転板３１２を１８０度回転し他方の蓋受け部をストッカー３００の下端開口部に位置決め制御すると、表蓋１２が表面１２ａを上にして当該蓋受け部に落下して収納される。このように回転板３１２を１８０度ずつ回転することにより、ストッカー３００の下端開口部から一組のパーツ部材１５が裏蓋１４、表蓋１２の順で順次取り出される。
【０１４７】
前記取出し機構３１０は、回転板３１２により順番に取り出された裏蓋１４、表蓋１２を、第２受け型３７０、第１受け型３５０上に順番に搬送する搬送部３２０を備える。
【０１４８】
搬送部３２０は、Ｘ方向に沿って配置されたガイドレール３２２と、ガイドレール３２２に沿って移動可能なホールドアーム部３２４とを備える。
【０１４９】
ホールドアーム部３２４は、回転板３１２が１８０度回転しストッカー３００の下端開口部から裏蓋１４が取り出すと、取り出した裏蓋１４に向け下降して裏蓋１４をホールドし、その状態で所定高さまで上昇し、次に、Ｘ軸方向にスライド部３４０の移動経路の真上に位置するまで移動する。
【０１５０】
この移動に同期して、第２受け型３７０がホールドアーム部３２４の真下に位置するように、スライド部３４０の動作が制御される。
【０１５１】
そして、ホールドアーム部３２４が下降し第２受け型３７０上に裏蓋１４を、例えば図
１４に示すように載置し、その後、再び所定高さまで上昇し、待機位置である回転板３１２の上方所定位置までＸ軸方向へ移動する。
【０１５２】
次に、回転板３１２が１８０度回転しストッカー３００の下端開口部から表蓋１２を取り出すと、ホールドアーム部３２４は、取り出した表蓋１２に向け下降して表蓋１２をホールドし、その状態で所定高さまで上昇し、次に、スライド部３４０の移動経路の真上に位置するまでＸ軸方向に移動する。
【０１５３】
この移動に同期して、第１受け型３５０がホールドアーム部３２４の真下に位置するように、スライド部３４０の動作が制御される。
【０１５４】
次に、ホールドアーム部３２４が下降し第１受け型３５０上に表蓋１２を、例えば図１２に示すように載置し、その後、再び所定高さまで上昇し、回転板３１２の上方所定位置までＸ軸方向へと移動する。
【０１５５】
そして、表蓋１２が載置された後、第１受け型３５０は、筐体２００の前方に向けてＺ軸方向に移動し、組立室２４０の床面に位置するように移動制御され、図１０（Ｂ）に示すように、第１受け型３５０は、表蓋１２を載置した状態で組立室２４０で待機することとなる。
【０１５６】
上記一連の取出し機構３１０及びスライド部３４０の制御は、図７に示す、組立制御部１７２からの制御指令に基づき行われる。
【０１５７】
（配置された透明フィルム２０の裏表判定）
上述のように、ユーザが、組立室２４０で表蓋１２の表面１２ａに透明フィルム２０を配置し、組立室２４０の扉２４２を閉めると、組立室２４０周辺に設けられたフィルム配置検出部１４８が、配置された透明フィルム２０の裏表の検出を行う。
【０１５８】
本実施形態では、配置された透明フィルム２０を撮影するカメラ（図示せず）が、フィルム配置検出部１４８として用いられ、判定部１７０は、カメラの撮影画像データに基づき、表蓋１２の表面１２ａに配置された透明フィルム２０の印刷面２０ａが、表蓋１２の表面１２ａに正しく対向させる向きでが配置されているか否かを判定する判定処理を行う。
【０１５９】
正しいと判定された場合には、次の被覆処理の工程の実行を許可し、正しくないと判定された場合には、ユーザに透明フィルム２０を正しく再配置するように指示を行う。この指示は、タッチパネル型表示部２２０にその旨の表示を行ってもよく、音声でその旨の指示おこなってもよい。
【０１６０】
［３］フロー
図１６は、本実施形態の缶製品作成装置１００の缶バッジ１０の作成手順のフローである。
【０１６１】
ユーザが缶製品作成装置１００の前に立つと、のぞき窓２１０にユーザの興味を誘う演出画像、例えば図８に示すようなアニメーション動画像が演出表示され、子供等が興味をもって覗き込みたくなる演出が行われる（ステップＳ１０）。
【０１６２】
ユーザが、こののぞき窓２１０を覗き込むと、演出画像を見て楽しんでいるユーザの顔が撮影され（ステップＳ１２）、タッチパネル型表示部２２０に編集画像として表示される（ステップＳ２０）。
【０１６３】
ユーザは、その画像を見ながら、タッチパネル１０２ａを操作して最適な画像をキャプチャして編集する編集作業を行ない、例えば図９（Ａ）に示すような編集画像を生成する（ステップＳ２２）。このように、ユーザは、タッチパネル型表示部２２０に表示される画像により、カメラ１０４ａにより撮像され缶バッジ１０の表面に描画される画像を確認しながら、当該画像の編集を行うことができる。
【０１６４】
ユーザがタッチパネル１０２ａから編集終了の入力を行うことで、ユーザによる上記画像の編集が終了する（ステップＳ２４）。
【０１６５】
画像の編集が終了すると、印刷用画像データ生成手段１１０は、編集が終了した画像を反転させ印刷用画像の画像データを生成する処理を行う（ステップＳ３０）。例えば、編集した画像が図９（Ａ）に示す画像である場合には、当該画像を鏡面反転させた図９（Ｂ）に示す印刷用画像の画像データを生成する。
【０１６６】
印刷制御部１６８は、印刷用画像の画像データを受け取り、プリント部１２１に当該画像の透明フィルム２０への印刷を指示する。この指示を受けて、プリント部１２１は、例えば、図１０（Ａ）に示すように、台紙２１に剥離可能な状態で貼着された状態の透明フィルム２０の印刷面２０ａに前記印刷用画像２２の印刷を行う（ステップＳ３２）。
【０１６７】
印刷が終了すると、当該透明フィルム２０は、台紙２１に被覆された状態で、フィルム排出口２３０から排出され、ユーザに提供される（ステップＳ３４）。
【０１６８】
この様な印刷処理と同期して、実施形態の缶製品作成装置１００は、ストッカー３００から一組のパーツ部材１５を裏蓋１４、表蓋１２の順で取り出し、裏蓋１４を第２受け型３７０に配置し、表蓋１２を第１受け型３５０に配置する処理を行う（ステップＳ４０）。
【０１６９】
表蓋１２が載置された後、第１受け型３５０は、筐体２００の前方に向けてＺ軸方向に移動し、組立室２４０の床面に位置するように移動制御される。前記移動制御が完了すると、「透明フィルム２０を、その印刷面２０ａを表蓋１２の表面に対向させる向きで、表蓋１２の表面に配置する旨の指示」がユーザに向けて行われる（ステップＳ５２）。この指示は、ユーザに向けた音声ガイドとして行われると共に、タッチパネル型表示部２２０上にその旨のガイド画面を表示することでも行われる。
【０１７０】
この指示をうけたユーザは、組立室２４０の扉２４２を開け、図１０（Ｂ）に示すように組立室２４０の床面に位置する表蓋１２の表面１２ａに透明フィルム２０を配置する。この配置は、前記指示に基づき、透明フィルム２０を、その印刷面２０ａを表蓋１２の表面に対向させる向きで行われる。配置が終了し、ユーザが組立室２４０の扉２４２を閉めると（ステップＳ５４）、扉２４２が閉じられたことをトリガーとして判定部１７０が、フィルム配置検出部１４８（カメラ）の撮影画像データに基づき、表蓋１２の表面１２ａに配置された透明フィルム２０の印刷面２０ａが、表蓋１２の表面１２ａに正しく対向させる向きで配置されているか否か判定する判定処理を行う（ステップＳ５６）。
【０１７１】
正しくないと判定された場合には、ユーザに透明フィルム２０を正しく配置するように指示を行う（ステップＳ５８、Ｓ６０）。この指示は、タッチパネル型表示部２２０にその旨の表示を行ってもよく、音声でその旨の指示を行ってもよい。
【０１７２】
正しいと判定された場合には、次の被覆処理の工程の実行を実行する（ステップＳ５８、Ｓ７０、Ｓ７２）。この被覆処理は、前述したように図１２、図１３の手順で実行され
、これにより、図２（Ｂ）に示すように、透明フィルム２０の印刷面２０ａを表蓋１２の表面１２ａに対向させる向きで配置した状態で、当該透明フィルム２０が表蓋１２の表面１２ａに被覆される。
【０１７３】
次に、図１４、図１５の手順で裏蓋１４と表蓋１２の結合処理を行い（ステップＳ７４）、図２（Ｃ）に示すように、前記表蓋１２の周りにはみ出た前記透明フィルム２０の周縁部２０ｂを前記表蓋１２と裏蓋１４で挟むように、裏蓋１４を表蓋１２に結合して、缶バッジ１０を製作する。
【０１７４】
そして、完成した缶バッジ１０は、缶バッジ排出口２５０から排出され、ユーザに提供される（ステップＳ７６）。
［４］変形例
［４-１］
前記実施形態では、ユーザが、撮像手段により撮像され第１の缶パーツの表面に描画される画像を確認しながら缶製品の作成を行う場合を例にとり説明したが、これ以外にも、ユーザが、記憶手段に記憶された複数の画像データから所与の画像データの画像を選択し、選択された所与の画像データの画像が第１の缶パーツの表面に描画された缶製品の作成を行う構成を採用してもよい。
例えば、係る缶製品作成装置は、
筐体と、
複数の画像データを記憶する記憶手段と、
前記筐体に設けられ、所与の画像データを選択する選択手段と、
選択された画像データに基づき前記印刷用画像の画像データを生成する印刷用画像データ生成手段と、
前記プリント手段により印刷処理された透明フィルムをユーザに提供する提供手段と、
を含む構成を採用してもよい。
以上の構成によれば、ユーザは、記憶手段に記憶された複数の画像データ、例えば各種のキャラクターの画像データから所与の画像データの画像を選択し、選択された所与の画像データの画像（例えば、所望のキャラクターの画像）が第１の缶パーツの表面に描画された缶製品の作成を行うことができる。
ここで、前記記憶手段に記憶された複数の画像データが、予め所与の画像の画像データを反転処理したものである場合には、印刷用画像データ生成手段は、記憶手段に記憶され選択手段により選択された画像データをそのまま用いて、前記印刷用画像の画像データを生成すればよく、また前記複数のデータが、予め所与の画像の画像データを反転処理したものでない場合には、記憶手段に記憶され選択手段により選択された画像データを反転処理し前記印刷用画像の画像データを生成すればよい。
また、係る前記缶製品作成装置は、
前記筐体に設けられ、前記選択されたユーザの画像に関連つけた所与の画像データの画像を表示する表示手段、を更に含んでもよい。
以上の構成とすることにより、表示手段に表示される画像を見ながら、ユーザは、記憶手段に記憶された複数の画像データから所与の画像データの画像を選択し、これにより、第１の缶パーツの表面に描画される画像を確認しながら缶製品の作成を行うことができる。
また、前述のように撮像手段により撮像された画像と、記憶手段に記憶された複数の画像データから選択された画像とを組み合わせて、所与の画像データの画像を生成し、当該所与の画像データの画像を反転処理し前記印刷用画像の画像データを生成する構成を採用してもよい。
［４-２］  缶バッジ１０以外への適用
前記実施形態では、缶製品として缶バッジを作成する場合を例にとり説明したが、缶製品」は、前記第２の缶パーツが前記第１の缶パーツへ結合されて組立られるものであれば
よく、例えば、二つの缶パーツを結合して形成される、缶マグネット、缶バッジ、缶クリップ、メダル、ペンダント、コマ、装飾プレートなどであってもよい。
【０１７５】
［４-３］  玩具媒体の作成及びゲーム装置への適用
また、前記実施形態では、本発明を缶製品の作成に適用する場合を例にとり説明したが、本発明は、これ以外にも、例えば、玩具媒体の作成への適用も可能である。
【０１７６】
例えば、玩具媒体作成装置として、
所与の画像データを反転処理して生成した印刷用画像を透明フィルムの片面に印刷処理するプリント手段と、
前記透明フィルムの印刷面を玩具媒体の表面に対向させる向きで配置した状態で、当該透明フィルムを前記玩具媒体の表面に被覆処理する被覆手段と、
を含み、
表面に前記透明フィルムの他面で保護された前記印刷用画像が描画された玩具媒体を作成する構成を採用してもよい。
【０１７７】
ここで、前記「玩具媒体」とは、遊戯の対象となる媒体であり、例えば遊戯用のカード、メンコ、独楽であってもよい。
また、前記玩具媒体作成装置は、前記プリント手段に、所与の画像データを反転処理して生成した印刷用画像の画像データを提供する手段を設けることが好ましく、係る印刷用画像の画像データを提供する手段は、例えば、予め所与の画像の画像データを反転処理した画像データが用意される場合には、当該画像データをそのまま用いて、前記印刷用画像の画像データを生成して前記プリント手段に提供すればよく、また所与の画像の画像データが予め反転処理されずに用意される場合には、当該画像データを反転処理し前記印刷用画像の画像データを生成し前記プリント手段に提供すればよい。
【０１７８】
以上の構成によれば、玩具媒体の表面に被覆された透明フィルムの印刷面は、前記透明フィルムの他面で保護されることとなるため、玩具媒体の表面に印刷面を保護する保護フィルムなどの被覆が不要となり、その分、玩具媒体の製作をより簡素化し、作業効率を高めることができる。
【０１７９】
この場合には、透明シートへの印刷を行うプリント手段とは別に、玩具媒体の表面に所与の画像を直接印刷するプリント手段を設け、前記透明シートによる描画と組み合わせた描画が施された玩具媒体を作成する構成を採用してもよい。
【０１８０】
また玩具媒体作成装置として、
複数の画像データがレイヤ構造に重畳されて構成された所与の画像データであって、少なくとも一つのレイヤの画像データは、ゲームに関連付けた画像データとして生成された前記所与の画像データの画像を描画した玩具媒体を作成する装置において、
前記所与の画像データを反転処理して生成した印刷用画像を透明フィルムの片面に印刷処理するプリント手段と、
前記透明フィルムの印刷面を玩具媒体の表面に対向させる向きで配置した状態で、当該透明フィルムを前記玩具媒体の表面に被覆処理する被覆手段と、
を含み、
表面に前記透明フィルムの他面で保護された前記印刷用画像が描画された玩具媒体を作成する構成を採用してもよい。
【０１８１】
以上の構成によれば、表面に前記透明フィルムの他面で保護された前記印刷用画像が描画された玩具媒体を作成するに際し、前記印刷用画像のもととなる画像データは、複数の画像データがレイヤ構造に重畳されて構成された画像データして構成され、少なくとも一
つのレイヤの画像データは、ゲームに関連付けた画像データとして生成される。このため、ユーザは、自身の楽しむゲームの状況に関連付けた画像を描画したオリジナルな玩具媒体を作成する面白さを楽しむことができる。
ここで、玩具媒体作成装置は、前記プリント手段に、所与の画像データを反転処理して生成した印刷用画像の画像データを提供する手段を設けることが好ましく、係る印刷用画像の画像データを提供する手段は、例えば、予め所与の画像の画像データを反転処理した画像データが用意される場合には、当該画像データをそのまま用いて、前記印刷用画像の画像データを生成して前記プリント手段に提供すればよく、また所与の画像の画像データが予め反転処理されずに用意される場合には、当該画像データを反転処理し前記印刷用画像の画像データを生成し前記プリント手段に提供すればよい。
【０１８２】
また、前記玩具媒体作成装置は、例えば、これを用いたゲーム装置への適用も可能である。
例えば、前記玩具媒体作成装置を備えたゲーム装置は、
プレーヤのゲーム状況を判別するゲーム状況判別手段と、
複数の画像データを記憶する記憶手段と、
判別されたゲーム状況に応じた画像データを選択して前記所与の画像データを生成する第３の処理手段と、
を含む構成を採用してもよい。
以上の構成によれば、複数の画像データからゲーム状況に応じた画像データが選択されるため、ユーザはプレーヤとしてゲームを楽しみながら、当該ゲームの状況を反映した画像を描画したオリジナルな玩具媒体を作成することができる。
ここで、前記記憶手段に記憶された複数の画像データが、予め所与の画像の画像データを反転処理したものである場合には、記憶手段から選択された画像データをそのまま用いて、前記印刷用画像の画像データを生成すればよく、また前記複数のデータが、予め所与の画像の画像データを反転処理したものでない場合には、記憶手段から選択された画像データを反転処理し前記印刷用画像の画像データを生成すればよい。
また、係るゲーム装置は、
前記選択された画像データの画像を表示する表示手段、
を更に含む構成を採用してもよい。
以上の構成によれば、複数の画像データからゲーム状況に応じた画像データが選択されるため、ユーザはプレーヤとしてゲームを楽しみながら、当該ゲームの状況を反映した画像を描画したオリジナルな玩具媒体を作成することができる。
また、前記玩具媒体作成装置を含むゲーム装置として、
プレーヤのゲーム状況を判別するゲーム状況判別手段と、
判別されたゲーム状況を反映した第１の画像データを生成するとともに、前記プレーヤの指示に基づき作成される第２の画像データを前記第１の画像データに重畳し、複数の画像データがレイヤ構造に重畳されて構成された前記所与の画像データを生成する第１の処理手段と、
前記所与の画像データを反転処理して印刷用画像の画像データを生成する第２の処理手段と、
を含む構成を採用してもよい。
【０１８３】
以上の構成によれば、ユーザはプレーヤとしてゲームを楽しみながら、当該ゲームの状況を反映した画像を描画したオリジナルな玩具媒体を作成することができ、更には、当該ゲームの状況を反映した画像と、ユーザの指示に基づき作成される第２の画像、例えば編集画像とを重畳した画像を生成し、ユーザの趣向を更に反映させたオリジナルな画像を描画した玩具媒体を作成する面白さを楽しむことができる。
【０１８４】
また、前記第１の処理手段は、判別されたゲーム状況を反映した画像データを、前記所
与の画像データとして生成する構成としてもよく、例えば、判別されたゲーム状況がプレーヤに有利な状況である場合には、有利な程度に応じたレアな画像の画像データを生成し、当該レアな画像のデータを反転処理した印刷用画像を玩具媒体の表面に被覆処理してもよい。これにより、ユーザ（プレーヤ）に、レアな印刷用画像が描画された玩具媒体を作成し提供することができる。
【０１８５】
このような構成のゲーム装置は、例えばカードゲームを行うプレーヤに対し、ゲーム成績に応じて、レアなカードを作成し、提供する場合などに適用することができる。
【０１８６】
また、前記ゲーム装置は、複数種類の玩具媒体を選択的に提供する提供手段を備え、前記第１の処理手段は、判別されたゲーム状況を反映した玩具媒体を選択的に提供し、当該玩具媒体に、当該透明フィルムを被覆処理してもよい。この場合には、判別されたゲーム状況がユーザ（プレーヤ）に有利な状況である場合には、有利な程度に応じたレアな玩具媒体、例えばレアな装飾が施された玩具媒体を選択してもよい。こにあわせて、当該玩具媒体の表面には、有利な程度に応じたレアな印刷用画像を被覆処理することで、ユーザ（プレーヤ）に、判別されたゲーム状況を反映したレアな玩具媒体を提供することができる。
【０１８７】
また、他の玩具媒体作成装置として、
透明シートへの印刷を行うプリント手段とは別に、玩具媒体の表面に所与の画像を直接印刷するプリント手段を設け、前記透明シートによる描画と組み合わせた描画が施された玩具媒体を作成する構成を採用してもよい。
【０１８８】
また、他の玩具媒体作成装置として、
前記所与の画像データを反転処理して生成した印刷用画像を透明フィルムの片面に印刷処理するプリント手段と、
前記透明フィルムの印刷面を玩具媒体の表面に対向させる向きで配置した状態で、当該透明フィルムを前記玩具媒体の表面に被覆処理する被覆手段と、
を含み、
前記プリント手段は、
前記印刷用画像を、
透明フィルムの片面に凹凸層を形成する印刷用画像として印刷処理し、
表面に前記表面に前記透明フィルムの他面で保護された前記凹凸層を有する印刷用画像が描画された玩具媒体を作成する構成を採用してもよい。
【０１８９】
以上の構成によれば、プリント手段は、印刷用画像を、透明フィルムの片面に凹凸層を形成する印刷用画像として印刷するため、前記凹凸により光源に対する陰影が際立った画像が描画された玩具媒体を作成することができる。
【０１９０】
この場合には、凹凸印刷が可能な公知のプリント手段及び透明フィルムを使用してもよい。例えば、透明シートとして、熱により膨張するマイクロパウダー等を、デジタルシート内に積層されている各バンプ層に塗布した構成のシートを用い、プリント手段として、前記透明シートを赤外腺などで部分的にかつ選択的に過熱しながら印刷を行い、透明フィルムに凹凸層を形成する印刷用画像を印刷してもよい。
また、本発明において、透明フィルムは所定の透明度を有していればよい。また、透明フィルムは、各面で異なる表面粗さを有する場合には、粗い面を印刷面として印刷処理することが好ましい。また、透明フィルムが２種類のフィルムによる合成フィルムとして形成されている場合には、粗い面を印刷面として印刷処理することが好ましい。
【０１９１】
［５］その他
また、本発明は、実施形態で説明した構成と実質的に同一の構成（例えば、機能、方法及び結果が同一の構成、あるいは目的及び効果が同一の構成）を含む。また、本発明は、実施形態で説明した構成の本質的でない部分を置き換えた構成を含む。また、本発明は、実施形態で説明した構成と同一の作用効果を奏する構成又は同一の目的を達成することができる構成を含む。また、本発明は、実施形態で説明した構成に公知技術を付加した構成を含む。
【０１９２】
上記のように、本発明の実施形態について詳細に説明したが、本発明の新規事項及び効果から実体的に逸脱しない多くの変形が可能であることは当業者には容易に理解できるであろう。したがって、このような変形例はすべて本発明の範囲に含まれるものとする。
【符号の説明】
【０１９３】
１０  …  缶バッジ
１２  第１の缶パーツとしての表蓋
１２ａ  表面
１２ｂ  周縁部
１４  第２の缶パーツとしての裏蓋
１４ｂ  周縁部
１５  一組のパーツ部材
１６  マグネット
２０  透明フィルム
２０ａ  印刷面
２０ｂ  周縁部
２０ｃ  表面
２２  印刷用画像
１００  缶製品作成造装置
１０２  入力手段
１０４  撮像手段
１０６  表示手段
１０８  編集手段
１１０  印刷用画像データ生成手段
１２０  プリント手段
１３０  被覆手段
１４０  缶製品組立手段
１４２  取出し配置部
１４４  結合部
１４６  排出部
１４８  フィルム配置検出部
１６０  処理部
１６２  表示画像生成部
１６４  編集部
１６６  印刷画像データ生成部
１６８  印刷制御部
１７０  シール配置判定部
１７２  組立制御部
２００  筐体
２１０  のぞき窓
２２０  タッチパネル型表示部
２３０  フィルム排出口
２４０  組立室
２５０  缶バッジ排出口
３００  ストッカー
３１０  取出し機構
３１２  回転板
３２０  搬送部
３２２  ガイドレール
３２４  ホールドアーム部
３３０  圧着機構
３３２  ベース
３４０  スライド部
３５０  １受け型
３５２  第１の台座
３５２ａ  
３５２ｂ  上端外周面
３５３  空隙
３５６  スプリング
３６０  スライド型枠
３６２  ガイド壁
３６４  フィルム載置面
３７０  第２受け型
３７２  第２の台座
３７２ａ  表面
３７６  スプリング
３８０  スライド型枠
３８２ａ  端面
３８４  テーパ面
３９０  押圧型
３９２  外枠
３９２ｂ  内周面
３９４  押圧部
３９４ａ  押圧面
【図１】
2019136210.tif 000003
【図２】
2019136210.tif 000004
【図３】
2019136210.tif 000005
【図４】
2019136210.tif 000006
【図５】
2019136210.tif 000007
【図６】
2019136210.tif 000008
【図７】
2019136210.tif 000009
【図８】
2019136210.tif 000010
【図９】
2019136210.tif 000011
【図１０】
2019136210.tif 000012
【図１１】
2019136210.tif 000013
【図１２】
2019136210.tif 000014
【図１３】
2019136210.tif 000015
【図１４】
2019136210.tif 000016
【図１５】
2019136210.tif 000017
【図１６】
2019136210.tif 000018
【図１７】
2019136210.tif 000019